(57)【特許請求の範囲】
【請求項１】
シートを搬送する回転体と、
前記回転体を駆動する駆動力を発生させるモータと、
前記モータが設けられる装置本体に対して開閉可能であり且つ前記シートをガイドする搬送路を開放する開閉部材であって、前記回転体が設けられる開閉部材と、
前記装置本体に設けられ、前記モータの駆動力を伝達する第１ギアと、
前記開閉部材に設けられた第２ギアであって、前記開閉部材が閉じた状態では前記第１ギアと噛合して前記第１ギアからの駆動力を前記回転体に伝達し、前記開閉部材が開いた状態では前記第１ギアに対して離間する第２ギアと、
前記第２ギアの回動軸を保持する保持部を備え、前記保持部の位置を調整することによって前記第２ギアの回動軸の位置を調整する調整部材と、
前記開閉部材に回動可能に設けられ、前記開閉部材を閉じた状態で前記装置本体に設けられた被係止部に係止する係止部を有し、
前記保持部は、前記係止部の回動中心と同一軸上に回動可能に設けられることを特徴とするシート給送装置。
【請求項２】
前記調整部材は、前記保持部を前記開閉部材に固定する固定手段を有することを特徴とする請求項１に記載のシート給送装置。
【請求項３】
前記開閉部材には、前記シートが搬送される搬送方向において前記回転体よりも下流側に、前記シートを搬送するための第１搬送ローラが設けられ、
前記装置本体には、前記開閉部材が閉じたときに前記第１搬送ローラと圧接する第２搬送ローラが設けられていることを特徴とする請求項１又は２に記載のシート給送装置。
【請求項４】
前記開閉部材を閉じた状態で前記第２ギアを前記第１ギアに向けて付勢する付勢手段を有することを特徴とする請求項１乃至３のいずれか一項に記載のシート給送装置。
【請求項５】
前記シート給送装置は、
前記シートを積載する積載部と、
前記積載部に積載されたシートを給送する第２回転体と、
前記回転体とニップ部を構成し、前記第２回転体によって重なった状態で搬送された複数枚のシートを前記ニップ部において分離する分離部材と、
を有することを特徴とする請求項１乃至４のいずれか一項に記載のシート給送装置。
【請求項６】
前記シート給送装置は、前記回転体に伝達された駆動力を前記第２回転体に伝達する伝達部を有することを特徴とする請求項５に記載のシート給送装置。
【請求項７】
請求項１乃至６のいずれか一項に記載のシート給送装置と、
給送されたシートに記載された情報を読み取る読取部と、
を有することを特徴とする読取装置。
【請求項８】
請求項１乃至６のいずれか一項に記載のシート給送装置と、
給送されたシートに画像を形成する画像形成部と、
を有することを特徴とする画像形成装置。
【発明の詳細な説明】
【技術分野】
【０００１】
本発明は、載置部に載置されたシートを給送するシート給送装置及びこれを備えた読取装置並びに画像形成装置に関する。
【背景技術】
【０００２】
原稿を搬送して読み取る原稿搬送読取装置にあっては、原稿トレイに載置された原稿は給送回転体であるピックアップローラによって給送され、分離手段によって１枚ずつ分離給送され、読取部において画像を読み取られた後、排出トレイ上に排出される。このような原稿搬送読取装置にあっては、給送時に原稿給送不良が生じたときに、詰まった原稿を除去できるように、給送部を開閉可能にしているのが一般的である。
【０００３】
すなわち、原稿搬送読取装置本体に対して開閉可能なカバーを設け、原稿を搬送する一対のローラのうち、一方のローラを装置本体に設け、他方のローラを開閉カバーに設け、前記ローラ対間で原稿が詰まったときは開閉カバーを開くことによって前記ローラ対を開放して詰まった原稿を除去するようにしている（特許文献１）。
【先行技術文献】
【特許文献】
【０００４】
【特許文献１】特許第５３８６５７０号
【発明の概要】
【発明が解決しようとする課題】
【０００５】
上記原稿搬送読取装置あって、前記ピックアップローラは開閉カバーに設けられている。このため、ピックアップローラの駆動は装置本体に設けられたモータからギア列を介して伝達される。
【０００６】
しかしながら、前述したようにピックアップローラは装置本体に対して開閉可能なカバーに設けられているために、これに駆動伝達するギア列は開閉カバーを開いたときに、開閉カバー側に設けられているギア（カバー側ギア）と、装置本体側に設けられているギア（本体側ギア）が離間する構成となっている。そのため、前記本体側ギアとカバー側ギアのギア軸間を固定することができず、開閉カバーの撓み等によって前記ギア間が変化すると駆動伝達を精度よく行うことが困難になる。
【０００７】
上記課題に鑑み、本発明は、駆動力の伝達を精度よく行うことを目的とする。
【課題を解決するための手段】
【０００８】
上記目的を達成するための本発明に係る代表的な構成は、シートを搬送する回転体と、前記回転体を駆動する駆動力を発生させるモータと、前記モータが設けられる装置本体に対して開閉可能であり且つ前記シートをガイドする搬送路を開放する開閉部材であって、前記回転体が設けられる開閉部材と、前記装置本体に設けられ、前記モータの駆動力を伝達する第１ギアと、前記開閉部材に設けられた第２ギアであって、前記開閉部材が閉じた状態では前記第１ギアと噛合して前記第１ギアからの駆動力を前記回転体に伝達し、前記開閉部材が開いた状態では前記第１ギアに対して離間する第２ギアと、前記第２ギアの回動軸を保持する保持部を備え、前記保持部の位置を調整することによって前記第２ギアの回動軸の位置を調整する調整部材と、前記開閉部材に回動可能に設けられ、前記開閉部材を閉じた状態で前記装置本体に設けられた被係止部に係止する係止部を有し、前記保持部は、前記係止部の回動中心と同一軸上に回動可能に設けられることを特徴とする。
【発明の効果】
【０００９】
本発明によると、駆動力の伝達を精度よく行うことができる。
【図面の簡単な説明】
【００１０】
【図１】原稿読取装置の模式断面図である。
【図２】原稿給送待機状態の断面図である。
【図３】原稿給送状態の断面図である。
【図４】シャッタ部材の動作説明図である。
【図５】駆動伝達手段の斜視説明図である。
【図６】駆動伝達手段の模式図である。
【図７】制御ブロック図である。
【図８】開閉カバーの内部の斜視図である。
【図９】開閉カバーを閉じた状態の断面説明図である。
【図１０】開閉カバーを開いた状態の断面説明図である。
【図１１】開閉カバーに設けられた調整板に保持されたギアと本体に設けられたギアの斜視説明図である。
【図１２】調整板に保持されたギアの軸がＵ字溝部に嵌る状態を示す説明図である。
【図１３】バネにより調整板を付勢する構成の斜視説明図である。
【発明を実施するための形態】
【００１１】
〔第１実施形態〕
次に本発明の実施形態に係るシート給送装置について、これを備えた読取装置とともに説明する。
【００１２】
＜読取装置＞
図１は第１実施形態に係る原稿読取装置Ａの断面模式説明図である。読取装置Ａの構成について、原稿読み取り動作とともに説明すると、シート状原稿を積載載置する載置部１に複数枚の原稿をセットし、これを後述するシート給送装置Ｂによって１枚ずつ分離給送する。給送された原稿は搬送ローラ対１００，１０１，１０２によって第１プラテン１０３上を通過する際に第１読取部１０４によって原稿の一方面に記載された情報が光学的に読み取られる。
【００１３】
その後、原稿は搬送ローラ対１０５によって搬送され、第２プラテン１０６上を通過する際に第２読取部１０７によって他方面に記載された情報が光学的に読み取られ、排出ローラ対１０８によって排出部１０９に排出される。
【００１４】
＜シート給送装置＞
シート給送装置は、図１に示すように、原稿（シート）Ｄを積載載置する載置部１に原稿幅方向（給送方向と直交する方向）にスライド可能な規制部材２が配置されている。この規制部材２は載置部１に載置された原稿Ｄの幅方向を規制することで原稿給送時に幅方向の位置を揃えて原稿を給送できるようにしたものである。
【００１５】
また、前記載置部１には、原稿Ｄが載置部１に載置されているときに、これを検知する原稿載置検知センサ（不図示）が設けられている。この原稿載置検知センサは、本実施形態では原稿の有無によって回動するセンサレバーの位置をフォトインタラプタで検知することにより載置部１に原稿が有るか否かを検知する構成であるが、他の公知のセンサ構成であってもよい。
【００１６】
（ピックアップローラ）
前記載置部１の原稿給送方向下流側には載置部に載置されたシートに給送力を付与する給送回転体であるピックアップローラ３が設けられている。このピックアップローラ３は、図２に示すように、支持アーム４の一方側端部に回転可能に取り付けられている。
【００１７】
支持アーム４はピックアップローラ３を給送位置と待機位置に移動可能に支持する支持部材であり、ピックアップローラ３を取り付けた端部と反対側の他方側端部が駆動軸５に取り付けられ、駆動軸５を中心にして揺動可能になっている。ピックアップローラ３は原稿を給送しないときは、図２に示すように、載置部１から上方に移動して待機している。そして、載置部１に原稿がセットされ、給送信号を受けると駆動軸５が第１の方向に回転して支持アーム４が駆動軸５を中心にして図２の時計回り方向に回転し、ピックアップローラ３が載置部１に積載された原稿Ｄに当接する給送位置に移動する（図３参照）。一方、駆動軸が前記第１の方向と反対の第２の方向に回転すると支持アーム４が駆動軸５を中心にして図３の反時計回り方向に回転し、ピックアップローラ３は上昇して原稿Ｄから離間した待機位置に移動する（図２参照）。
【００１８】
（シャッタ部材）
前記ピックアップローラ３よりも原稿給送方向下流側に載置部１にセットされる原稿の先端位置を規制するシャッタ部材（規制部材）６が設けられている。このシャッタ部材６は開閉カバー９に設けられた軸６ａを中心に回動可能に設けられ、ピックアップローラ３が待機位置にあるときは、図２に示す規制位置にあって載置部１に載置する際に原稿Ｄの先端が当接して所定の位置以上に押し込めないように堰き止める役割をしている。また、前記シャッタ部材６は、ピックアップローラ３が給送位置に移動すると、シートを給送可能な図３に示す非規制位置に回動する。
【００１９】
ここで、シャッタ部材６の構成について、図４を参照して動作とともに説明する。図４（ａ）は原稿Ｄを載置部１上に載置した状態を示す図であり、このときピックアップローラ３は上方の待機位置にある。このとき、シャッタ部材６は原稿給送口６５を塞ぎ、原稿を堰き止める位置（原稿先端を規制する位置）にあって、ピックアップローラ３の軸に自由に回転可能に取り付けられたストッパ６１により原稿給送方向への回動を規制されている。この状態で、原稿給送口６５に原稿を進入させると、原稿Ｄの先端はシャッタ部材６の一端部に突き当たって、それ以上の進入が妨げられ、載置部１上の適正な位置に載置される。
【００２０】
その後、原稿給送信号により、ピックアップローラ３が下降するとシャッタ部材６に当接して規制するストッパ６１が原稿給送口６５の上側ガイドに設けられた突起部６３と当接して上方に回動し、これによりストッパ６１はシャッタ部材６から離間して原稿給送方向への規制が解除される（図４（ｂ））。
【００２１】
ピックアップローラ３が所定量下降すると、支持アーム４に設けられた突起部６２にシャッタ部材６の係止突起６４が当接してシャッタ部材６を所定量回動させて原稿給送方向に傾けることとなる（図４（ｃ））。このとき、シャッタ部材６は自重により垂下されているが、突起部６２により所定量回動して傾いた位置で原稿給送方向上流側への回動を規制されているので、傾いた位置に保持された状態となる。
【００２２】
そして、ピックアップローラ３が載置部１上の最上位原稿に当接し、ピックアップローラ３の回転により原稿が分離手段に向けて給送されると、給送される原稿の先端によってシャッタ部材６は原稿Ｄを通過させる位置まで押し上げられる。これにより、原稿Ｄがシャッタ部材６の位置を越えて分離部に送られる（図４（ｄ））。このとき、シャッタ部材６の先端は繰り出される原稿の上面に自重により接触している。
【００２３】
また、ピックアップローラ３が給送位置から待機位置へ移動すると、シャッタ部材６は軸６ａを中心にして自重により回動し、図４（ａ）の規制位置へ戻る。
【００２４】
（分離部）
前記シャッタ部材６よりも原稿給送方向下流側には、ピックアップローラ３によって給送された原稿Ｄを１枚ずつに分離して搬送する分離部が設けられている。この分離部は、給送された原稿を下流に搬送する搬送回転体である分離ローラ７と、この分離ローラ７に圧接する分離パッド８とを有している。載置部１に積載された原稿はピックアップローラ３により給送されるが、このとき上位の数枚が給送されることがある。この場合、分離部において回転する分離ローラ７と分離パッド８によってニップされることで最上位の１枚のみが分離されて下流へと搬送され、更に下流に配置された搬送ローラ対１００によって搬送される。このときピックアップローラ３は待機位置に移動して搬送される原稿から離間し、搬送ローラ対１００により原稿引き抜きの負荷にならないようになっている。
【００２５】
（駆動伝達手段）
次に前記ピックアップローラ３、支持アーム４、分離ローラ７を回転させるための駆動力の伝達構成について説明する。
【００２６】
図５はピックアップローラ３及び分離ローラ７への駆動伝達構成を示す斜視説明図であり、図６は駆動伝達経路の模式説明図である。なお、図６において「>-<」形状はタイミングプーリを示し、「|-|」形状はギアを示す。また、図７は各センサによって検知された検知信号に応じて後述する駆動源である給送モータ３０の駆動や電磁クラッチ５２をオン、オフを制御する制御構成のブロック図である。
【００２７】
ピックアップローラ３は、分離ローラ７の駆動軸５に対して支持アーム４を介して揺動可能に支持されている。駆動軸５が図５の矢印Ａ方向（第１の方向）に回転するとき、分離ローラ７も同時に回転し、原稿Ｄを分離搬送することができる。支持アーム４は、一端を駆動軸５に支持され、他端でピックアップローラ３を支持するピックアップ軸２２を支持している。
【００２８】
駆動軸５には、駆動プーリ２３、ピックアップ軸２２には従動プーリ２４が取り付けられており、タイミングベルト２５が巻き掛けられている。
【００２９】
また、支持アーム４内には、ワンウェイクラッチ（不図示）が内蔵されており、駆動軸５が図５の矢印Ｂ方向（第２の方向）に回転するときは駆動軸５と共に回転し、駆動軸５が矢印Ａ方向に回転するときは空転するようになっている。ここで、ピックアップローラ３が上方の待機位置にあり、原稿が載置された状態で原稿給送動作が開始されると、図６に示す駆動伝達手段５０の中で、電磁クラッチ５２が接続される。電磁クラッチ５２は駆動源である給送モータ３０からの駆動力を伝達又は遮断可能な入力伝達遮断クラッチとなるものである。
【００３０】
前記電磁クラッチ５２が接続されることにより、給送モータ３０からの駆動力がプーリ３０ａ、タイミングベルト５４、プーリ５３ａと伝達する。そして、プーリ５３ａとギア部５３ｂが一体となったギアプーリ５３のギア部５３ｂから電磁クラッチ５２に含まれるギア５２ａに伝達される。そして、ギア連結軸５２ｃからギア５２ｂを介して、ギア５１ａに伝達され、逆入力遮断クラッチ５１に駆動が伝達される。
【００３１】
逆入力遮断クラッチ５１は、給送モータ３０から駆動軸前記駆動軸を前記第１の方向及び前記第２の方向に回転させる駆動力を伝達し、支持アーム４側から前記駆動軸５を回転させる逆入力トルクに対して前記駆動軸の回転をロックする双方向クラッチである。
【００３２】
逆入力遮断クラッチ５１から出力される駆動力は、ギア５１ｂからギア部５５ａとギア部５５ｂが一体的なアイドラギア５５の前記ギア部５５ａに伝達される。そして、ギア部５５ｂは駆動軸５の端部に取り付けられているギア２０ａとかみ合っているため、駆動軸５に駆動が伝達される。
【００３３】
前記のようにして給送モータ３０からの駆動力が駆動軸５に伝達されることにより、駆動軸５が図５に示す矢印Ａ方向に回転して分離ローラ７がシートを搬送する方向に回転する。同時に支持アーム４によるピックアップローラ３を上方の待機位置で保持する回転力がなくなる。このため、ピックアップローラ３は自重で下降し、原稿と当接する給送位置に移動した後、タイミングベルト２５を介して駆動軸５から回転力が伝達され、回転することで原稿の給送を開始する。
【００３４】
給送された原稿Ｄが分離ローラ７と分離パッド８により１枚ずつ分離搬送され、シート先端が搬送ローラ対１００のニップに達したことをニップ位置センサ４０（図７参照）が検知すると、電磁クラッチ５２が切断される。これにより、分離ローラ７を回転させる駆動力の伝達が遮断される。その後は搬送ローラ対１００を駆動することによって原稿を下流に搬送する。
【００３５】
電磁クラッチ５２が切断されると、給送モータ３０の駆動力は分離ローラ７に伝達されない。このため、搬送ローラ対１００の駆動と分離ローラ７の駆動とを同一のモータで行うことができる。
【００３６】
載置部１上に載置されたすべての原稿の給送が終了し、載置部１に原稿がないことを原稿載置検知センサ４１（図７参照）が検知すると、制御部６０は給送モータ３０をシート給送時とは逆に回転させる。これと同時に、図５及び図６に示す駆動伝達手段の中で電磁クラッチ５２を接続することで、駆動軸５が図５の矢印Ｂ方向に回転する。これにより、支持アーム４が駆動軸５とともに回転してピックアップローラ３が載置部１に当接した最下位置から待機位置まで上昇する量だけ駆動軸５を回転させた後、電磁クラッチ５２を切断する。
【００３７】
電磁クラッチ５２を切断することで、電磁クラッチ５２から駆動伝達経路の下流では自由に回転することが可能になる。しかし、電磁クラッチ５２から支持アーム４までの駆動伝達経路には逆入力遮断クラッチ５１が設けられているため、駆動伝達経路における上流からの駆動力は下流に伝達することが可能であるが、下流から上流への駆動は遮断される。すなわち、逆入力遮断クラッチ５１よりも駆動伝達経路で上流の軸を回転させると下流の軸は回転するが、下流の軸のみを回転させようとしても、逆入力遮断クラッチ５１でロックされているために回転することはできない。
【００３８】
従って、ピックアップローラ３を上方の待機位置まで上昇させた後、電磁クラッチ５２を切ると、ピックアップローラ３の自重により、支持アーム４を介して駆動軸５を回転させて下降しようとする逆入力トルクが発生する。しかし、駆動系の下流側たる支持アーム４から駆動軸５を図５の矢印Ａ方向に回転させる回転力は逆入力遮断クラッチ５１でロックされる。このため、電磁クラッチ５２が切断されても支持アーム４は回転しないため、ピックアップローラ３が下降することはない。
【００３９】
上記のように逆入力遮断クラッチ５１を設けることにより、電磁クラッチ５２を接続したまま給送モータ３０を保持するための電力を使用することなく、ピックアップローラ３を待機位置でで保持することができる。
【００４０】
また、本実施形態の読取装置は、図１に示すように、ピックアップローラ３、分離ローラ７の上方には開閉部材である開閉カバー９が開閉可能に設けられており、原稿がジャムした場合等は前記開閉カバー９を開いてジャム処理できるようになっている。この開閉カバー９には前述した駆動伝達手段を構成するギアの一部が配置されている。このため、開閉カバー９を開くと、開閉カバーに設けられたギア２０ａと、これに噛合している本体に設けられたギア５５ｂとが分離して噛合状態が解除される。したがって、ピックアップローラ３が上方に移動した待機位置にあるときに開閉カバー９を開くと、逆入力遮断クラッチ５１によってピックアップローラ３を待機位置に保持することができなくなり、ピックアップローラ３は自重によって下降する。
【００４１】
ピックアップローラ３が下降すると、前述のように支持アーム４の回転に連動してシャッタ部材６は図３に示す非規制位置に移動する。仮に、開閉カバー９を閉じるときにシャッタ部材６が起立垂下した状態のままだと、載置部１に載置した原稿がシャッタ部材６の下部に移動してしまった場合、開閉カバー９を閉じたときにシャッタ先端が載置部１上の原稿に突き当たって原稿を傷めるおそれがある。これに対して本実施形態にあっては、開閉カバー９を閉じるときはシャッタ部材６が非規制位置にあるため（倒れた状態）、載置部１に載置した原稿がシャッタ部材６の下部に移動してしまってもシャッタ部材６が原稿に突き当たることがない。よって、開閉カバー９を閉じるときにシャッタ部材６によって原稿を傷めることはない。
【００４２】
開閉カバー９が閉じると、カバー開閉検知センサ４２（図７参照）によって検知され、この検知信号を受けて制御部６０はピックアップローラ３を待機位置に移動させるように給送モータ３０及び電磁クラッチ５２を制御する。そして、ピックアップローラ３は前述のごとく逆入力遮断クラッチ５１によって待機位置に保持される。
【００４３】
また、ピックアップローラ３の待機位置への移動により、シャッタ部材６は非規制位置から規制位置に戻る。なお、このとき原稿がシャッタ部材６の下部にあるときは、シャッタ部材６は原稿の上に自重で乗った状態になる。そして、原稿給送が終了した場合、または、原稿が載置部１から引き抜かれた場合等、シャッタ部材６の下部の原稿がなくなると、シャッタ部材６は自重で、起立した状態に戻り、その状態でロックされる。
【００４４】
（ギア軸間の調整構成）
次に装置本体に設けられた給送モータ３０から開閉カバー９に設けられたピックアップローラ３に駆動力を伝達する駆動伝達手段のギア列において、アイドラギア５５のギア部５５ａと、ギア２０ａのギア間の調整構成について説明する。
【００４５】
図８乃至図１１に示すように、ギア（第２ギア）２０ａは開閉カバー９に設けられ、アイドラギア（第１ギア）５５は装置本体に設けられている。このため、開閉カバー９を開くと、ギア２０ａとアイドラギア５５のギア部５５ａは離間し（図１０参照）、開閉カバー９を閉じるとギア２０ａとギア部５５ａは噛合する（図９参照）。
【００４６】
前述のように、開閉カバー９は軸９ｂを回動中心にして回動して開閉可能であり、給送装置内に原稿か詰まった時等は開閉カバー９を開いて詰まった原稿にアクセスしやすい構成になっている。また、開閉カバー９にはシートを搬送するための第１搬送ローラとなる引抜コロ１００ａ、レジストレーションコロ１０１ａが設けられ、装置本体には開閉カバー９を閉じたときに前記第１搬送ローラと圧接する第２搬送ローラとなる引抜きローラ１００ｂ、レジストレーションローラ１０１ｂが設けられ、これらが圧接している。このため、開閉カバー９は閉じた状態では矢印ａ方向及び矢印ｂ方向に反力を受けている。
【００４７】
なお、開閉カバー９の開閉側（回動軸９ｂと反対側）には係止部であるフック部材７０が設けられており、装置本体には前記フック部材７０が係止可能な被係止部である係止軸８０が設けられている。これにより、前記フック部材７０を前記係止軸８０に係止することで、前記反力を受けても開閉カバー９が開かないように保持される。
【００４８】
しかし、上記のように開閉カバー９がフック部材７０でロックされた状態で前記搬送ローラ対の圧接による反力を受けると、図９の破線９ｃに示すように、変形し易くなっている。そして、開閉カバー９が破線９ｃに示すように変形すると、装置本体側に設けられているギア部５５ａと、開閉カバー９側に設けられているギア２０ａとの軸間が広がってしまい、駆動伝達が的確に行われなくなる可能性がある。
【００４９】
このため、本実施形態においては、図１１に示すように、ギア部５５ａとギア２０ａとの軸間距離を調整するための調整部材としての調整板９０が設けられている。この調整板９０は前記フック部材７０の回動中心となるフック軸７１と同一軸上に回動可能に取り付けられ、この調整板９０にギア２０ａを支持する軸５が保持されている。したがって、ギア２０ａは、フック軸７１を中心に回動可能な調整板９０の回動領域の範囲で移動可能に取り付けられている。
【００５０】
また、調整板９０には、軸５を中心に円弧状の長穴９０ａが形成され、この長穴９０ａにネジ９１を締結することで調整板９０を所定位置で開閉カバー９に固定するようになっている。
【００５１】
上記構成において、前述のように開閉カバー９が図９の破線９ｃのように変形し、ギア部５５ａとギア２０ａの軸間距離が変化したとする。このとき、調整板９０を回動させてギア２０ａの位置を移動させることで前記軸間距離を調整することができる。開閉カバー９を閉じてフック部材７０を係止軸８０に係止した状態では、開閉カバー９が変形しても開閉カバー９に設けたフック軸７１と装置本体に設けた係止軸８０との距離は変化しない。そして、ギア２０ａは前記フック軸７１と同一軸で回動可能な調整板９０に取り付けられ、ギア５５は前記係止軸８０の近傍に配置されているため、開閉カバー９が変形して、例えばフック部材７０がフック軸７１を中心に反時計回りに回転したような状態になったとしても、調整板９０をフック軸７１を中心に時計回り（図１１の矢印ｃ方向）に回転させることで、ギア部５５ａとギア２０ａとの軸間距離を正規位置にすることができる。
【００５２】
なお、本実施形態にあっては、図１２に示すように、ギア２０ａの回転軸５が正規位置にあるときに嵌るＵ字溝８１が装置本体の筐体に形成されている。したがって、前記のように調整板９０を回動させてギア２０ａの位置調整をするときに、回転軸５が前記Ｕ字溝８１の底部８１ａに当接する位置まで回動させることにより、ギア部５５ａに対するギア２０ａの位置を容易に調整することができる。
【００５３】
なお、前述した実施形態ではギア２０ａの位置を調整するときに、調整板９０を回動して位置調整した後にネジ９１によって固定するようにした。しかし、それ以外にも例えばバネによって付勢するようにしてもよい。
【００５４】
例えば、図１３に示すように、フック軸７１に付勢手段であるネジリコイルバネ９２を取り付け、その一方側端部を調整板９０に係止する。これにより、ギア２０ａがギア部５５ａの方向に付勢されるように構成する。また、ギア２０ａとギア５５ｂはハス歯ギアであって、駆動力が伝達されたときにギアを回転軸方向に付勢する力が作用するが、ギア２０ａ、５５ｂを離間させる方向に作用する力は小さい。前記ネジリコイルバネ９２による付勢力は前記ギア２０ａ、５５ｂを離間させる力より強く設定されているために、駆動力の伝達によって２０ａ、５５ｂが離間することはない。また、ネジ９３は段つきネジであって調整板９０との間に隙間を有し、調整板９０の浮き上がりを規制している。
【００５５】
このように構成した場合には、ギア部５５ａとギア２０ａとの間隔が離間するように開閉カバー９が変形しても、調整板９０がネジリコイルバネ９２によって付勢され、開閉カバー９の変形に応じて調整板９０が回動する。このため、ギア部５５ａとギア２０ａの軸間距離が一定に保持され駆動力の伝達が的確に行われる。
【００５６】
また、前述した実施形態ではシート給送装置として、原稿を読取部に給送して原稿情報を読み取る読取装置を例示した。しかし、前述した構成のシート給送装置によりシートを画像形成部に給送し、画像形成部においてシートに画像を形成する画像形成装置にあっても用いることができる。
【符号の説明】
【００５７】
Ａ    …読取装置
Ｂ    …シート給送装置
３    …ピックアップローラ
４    …支持アーム
５    …駆動軸
９    …開閉カバー
９ａ  …突当部
９ｂ  …軸
２０ａ …ギア
３０  …給送モータ
５５  …アイドラギア
５５ａ …ギア部
６０  …制御部
７０  …フック部材
７０  …スプリングクラッチ
７１  …フック軸
８０  …係止軸
８１  …Ｕ字溝
８１ａ …底部
９０  …調整板
９０ａ …長穴
９１  …ネジ
９２  …ネジリコイルバネ
１００，１０１，１０２，１０５ …搬送ローラ対
【図１】
0006746381.tif 000002
【図２】
0006746381.tif 000003
【図３】
0006746381.tif 000004
【図４】
0006746381.tif 000005
【図５】
0006746381.tif 000006
【図６】
0006746381.tif 000007
【図７】
0006746381.tif 000008
【図８】
0006746381.tif 000009
【図９】
0006746381.tif 000010
【図１０】
0006746381.tif 000011
【図１１】
0006746381.tif 000012
【図１２】
0006746381.tif 000013
【図１３】
0006746381.tif 000014